(57)【要約】【課題】袖引き出しの天板も机上スペースとして活用することができ、設置スペースに応じて袖引き出しの左右方向の位置を変更できる机を得る。【解決手段】天板１と、天板１後端に配設された背板２と、天板１下面左右のどちらかに配設され、天板１及び背板２の荷重を受けてなる袖引き出し４と、袖引き出し４の左右方向の移動を案内する天板１下面と袖引き出し４上面間に配設された上面ガイド手段を構成する前ガイド部材６、後ガイド部材７及び係合手段１０、並びに、袖引き出し４の左右方向の移動の案内及び固定を行う背板２前面と袖引き出し４後面間に配設された後面ガイド手段及び固定手段を構成する長孔１９、雌ねじ２０ａ及びボルト２０ｂとを備え、袖引き出し４を天板１下面側方から天板１の側端を越えて側方へ移動可能とした。【選択図】        図２
2005013522.tif 000002
【特許請求の範囲】
【請求項１】
天板と、
この天板の後端に配設された背板と、
前記天板下面の左右の少なくともどちらかに配設された、キャスター又はコロを下面に設け前記天板及び背板の荷重を受けてなる袖引き出しと、
この袖引き出しの左右方向の移動を案内する、前記天板下面と前記袖引き出し上面間に配設された上面ガイド手段及び前記背板前面と前記袖引き出し後面間に配設された後面ガイド手段と、
前記袖引き出しの左右方向の移動後の位置を固定する固定手段とを備え、
前記袖引き出しを前記天板下面側方から前記天板の側端を越えて側方へ移動可能としてなることを特徴とする机。
【請求項２】
前記天板下面の左右の一方に前記袖引き出しを前記天板の他方に脚を配設すると共に、これら袖引き出し及び脚を入れ替え可能に構成してなる請求項１記載の机。
【請求項３】
前記天板の左右側面に前記脚が係合する切り欠き部を形成してなる請求項２記載の机。
【請求項４】
前記上面ガイド手段が、前記天板下面の左右方向に設けられたガイド部材と、該ガイド部材に沿って移動可能に係合する係合部を有すると共に前記袖引き出しに取着される係合手段とからなる請求項１〜３のいずれかに記載の机。
【請求項５】
前記天板下面のガイド部材の側方に支持手段を設け、この支持手段と直接又は緩衝部材を介して前記袖引き出し上面とが当接することにより、前記袖引き出しが前記天板及び背板の荷重を受けてなる請求項４記載の机。
【請求項６】
前記係合手段の前記支持手段への当接によって前記袖引き出しの前記天板の側端を越える側方への移動量を規制することにより、前記天板と前記袖引き出しとが外れるのを防止してなる請求項５記載の机。
【請求項７】
前記後面ガイド手段及び固定手段が、前記背板下部に形成された左右方向に延びた長孔、前記袖引き出しの後面下部に配設された雌ねじ、及び、前記背板の後面側から前記長孔を通して前記雌ねじに螺合するボルトとからなると共に、前記ボルトの前記長孔端への当接によって前記袖引き出しの左右方向の移動量を規制することにより、前記天板と前記袖引き出しとが外れるのを防止してなる請求項１〜６のいずれかに記載の机。
【発明の詳細な説明】
【０００１】
【発明の属する技術分野】
本発明は、袖引き出しで天板を支持すると共に、該袖引き出しを左右に移動可能とした机に関わり、更に詳しくは、前記袖引き出しの天板も机上スペースとして活用することができると共に、設置スペースに応じて前記袖引き出しの左右方向の位置を変更できる机に関するものである。
【０００２】
【従来の技術】
従来の机、例えば学童用の学習机において、固定タイプの袖引き出しを備えるものでは、学童の成長に伴ってパソコン等を設置する必要が生じるため、天板スペースが足らなくなるという問題点があった。このような問題点を解決するために、移動可能な袖引き出しを平机の両脚板間の一方の脚板に接近させて配設して袖付きの机を構成する第１の使用形態、又は、移動可能な袖引き出しを脚板の外側に設置して脇机として利用する第２の使用形態をとることができるもの（例えば、特許文献１参照。）がある。
【０００３】
また、天板に対する袖引き出しの取付箇所を左右方向に可変にできるもの（例えば、特許文献２参照。）がある。
【０００４】
【特許文献１】
特許第３３５５９４５号公報（第２頁、図１―２）
【特許文献２】
実公昭３８−１７１２８号公報（第１頁、第１−４図）
【０００５】
【発明が解決しようとする課題】
以上のような従来の机において、特許文献１のような構成では、第１の使用形態（例えば、机全体の横幅は１ｍ）又は第２の使用形態（例えば、机全体の横幅は１．４ｍ）のどちらかの使用形態に限られるため、設置スペースによっては第２の使用形態をとることができず、机上スペースを広げることができない場合がある。したがって、室内空間のレイアウトに対する机の設置自由度が小さいものである。
【０００６】
また、特許文献２のような構成も、机に対する袖引き出しの位置を左右方向の適宜位置に変更できるものではなく、室内空間のレイアウトに対する机の設置自由度が小さいものである。また、机を特殊配置にする場合又は隣接する二つ以上の机を連結する場合を想定したものであり、袖引き出しの天板（上板）上を机上スペースとして活用するものではない。
【０００７】
本発明は、前記のような問題点を解決するためになされたものであり、前記袖引き出しの天板にも書類等を載置できるため机上スペースを広げることができると共に、設置スペース等に応じて机に対する袖引き出しの位置を左右方向の適宜位置に変更できる机を得ることを目的とする。
【０００８】
【課題を解決するための手段】
本発明に係る机は、天板と、この天板の後端に配設された背板と、前記天板下面の左右の少なくともどちらかに配設された、キャスター又はコロを下面に設け前記天板及び背板の荷重を受けてなる袖引き出しと、この袖引き出しの左右方向の移動を案内する、前記天板下面と前記袖引き出し上面間に配設された上面ガイド手段及び前記背板前面と前記袖引き出し後面間に配設された後面ガイド手段と、前記袖引き出しの左右方向の移動後の位置を固定する固定手段とを備え、前記袖引き出しを前記天板下面側方から前記天板の側端を越えて側方へ移動可能としたものである。
【０００９】
ここで、前記天板下面の左右の一方に前記袖引き出しを前記天板の他方に脚を配設すると共に、これら袖引き出し及び脚を入れ替え可能に構成すると好ましい。
【００１０】
また、前記天板の左右側面に前記脚が係合する切り欠き部を形成すると好ましい。
【００１１】
さらに、前記上面ガイド手段が、前記天板下面の左右方向に設けられたガイド部材と、該ガイド部材に沿って移動可能に係合する係合部を有すると共に前記袖引き出しに取着される係合手段とからなると好ましい。
【００１２】
さらにまた、前記天板下面のガイド部材の側方に支持手段を設け、この支持手段と直接又は緩衝部材を介して前記袖引き出し上面とが当接することにより、前記袖引き出しが前記天板及び背板の荷重を受けると好ましい。
【００１３】
また、前記係合手段の前記支持手段への当接によって前記袖引き出しの前記天板の側端を越える側方への移動量を規制することにより、前記天板と前記袖引き出しとが外れるのを防止すると好ましい。
【００１４】
さらに、前記後面ガイド手段及び固定手段が、前記背板下部に形成された左右方向に延びた長孔、前記袖引き出しの後面下部に配設された雌ねじ、及び、前記背板の後面側から前記長孔を通して前記雌ねじに螺合するボルトとからなると共に、前記ボルトの前記長孔端への当接によって前記袖引き出しの左右方向の移動量を規制することにより、前記天板と前記袖引き出しとが外れるのを防止すると好ましい。
【００１５】
【発明の実施の形態】
次に本発明の実施の形態を添付図面に基づき詳細に説明する。本発明に係る机の基本概念は、天板と、この天板の後端に配設された背板と、前記天板下面の左右の少なくともどちらかに配設された、キャスター又はコロを下面に設け前記天板及び背板の荷重を受けてなる袖引き出しと、この袖引き出しの左右方向の移動を案内する、前記天板下面と前記袖引き出し上面間に配設された上面ガイド手段及び前記背板前面と前記袖引き出し後面間に配設された後面ガイド手段と、前記袖引き出しの左右方向の移動後の位置を固定する固定手段とを備え、前記袖引き出しを前記天板下面側方から前記天板の側端を越えて側方へ移動可能としてなることを特徴とするものである。前記上面ガイド手段及び後面ガイド手段としては、スチール又はアルミニウム合金等からなるスライドレール等を用いることができるが、特に木製の机においては、木製の天板及び袖引き出しとの相性、コスト及び意匠面の配慮等から以下において説明する構成がより望ましいものである。
なお、以下において、机に正面から向かった状態で、手前側を前、その反対側を後、左側を左、右側を右とする。
【００１６】
図１〜図３は、本発明の実施の形態に係る机の構成例を示す斜視図、正面図及び左側面図であり、袖引き出しで天板を支持すると共に、該袖引き出しを前記天板下面側方から前記天板の側端を越えて側方へ移動可能とした木製の学習机を示している。図１〜図３において、木製の天板１の後端には木製の背板２が螺設され、天板１の左側面には木製の脚３が配設されており、天板１下面右には木製の袖引き出し４が左右方向に移動可能に配設されている。天板１の左右後側には脚３が係合する切り欠き部１ａ，１ａが形成され、背板２にも脚３が係合する切り欠き部２ａ，２ａが形成されている。脚３は、前記天板１の切り欠き部１ａ及び背板２の切り欠き部２ａに係合して、脚３の後側が背板２の側面に螺設されると共に、脚３の上側が天板２に取着した脚固定用板１８に螺設され、天板の側端部から出っ張らないように構成されている。また、前記のとおり天板１の後端には背板２が螺設されている。したがって、天板１、背板２及び脚３が固定されているため、机がより強固に構成されている。また、天板及び背板の切り欠き部１ａ，２ａにより脚３取り付け時の位置決めが容易であると共に、机を左右に並設する場合でも脚が邪魔にならない。さらに、脚３には水平出しの微調整を行うためのレベリングボルト３ａが設けられ、袖引き出し４には、天板４ａ、複数の引き出し４ｂ，・・・、及び、下面に複数のキャスター４ｃ，・・・が設けられており、該キャスター４ｃ，・・・により袖引き出し４の左右方向の移動をより容易に行うことができる。なお、キャスター４ｃではなく、コロを用いることもできる。また、背板２の前面の適宜位置には棚５が螺設されている。
【００１７】
図２（ａ）は、膝入れ空間Ｓを広げると共に袖引き出し４の天板４ａも机上スペースとして活用するために袖引き出し４を右側に移動させた場合、図２（ｂ）は、設置スペースを小さくするために袖引き出し４を左側に移動させ場合を示している。袖引き出し４の左右の移動は、以下において説明する上面ガイド手段及び後面ガイド手段により案内され、容易に行うことができる。したがって、設置場所の制約等に合わせて机の横幅を適切な寸法として設置することができる。また、設置後においても机の横幅を容易に変更することができる。机の横幅は、設置スペース等に応じて、例えば１ｍないし１．４ｍの適宜の寸法とすることができる。
【００１８】
図４は、袖引き出しの左右方向の移動を案内する上面ガイド手段の説明用斜視図である。また、図５は、袖引き出しの左右方向の移動を案内する上面ガイド手段及び後面ガイド手段の説明用部分断面側面図である。天板１の下面には、その前側に木製の前ガイド部材６が、その後側に木製の後ガイド部材７が螺設されている。また、天板１の下面と前ガイド部材６とにより、前ガイド部材６の後側に左右方向に延びた溝部８が形成され、天板１の下面と後ガイド部材７とにより、後ガイド部材７の後側に左右方向に延びた溝部９が形成されている。
【００１９】
木製の係合手段１０を構成する当接部材１１及び固定部材１２は、図４のように組み合わせられ、袖引き出し４の左右両側面に装着した雌ねじ（例えば、袖引き出し４の左右両側面に嵌設した鬼目ナット）１３ａ，１３ａにボルト１３ｂ，１３ｂを螺合することにより袖引き出し４の左側（図４の例では左側面）に取着される。該係合手段１０には、上面１０ａ、前面１０ｂ及び後面１０ｃが形成されている。また、係合手段１０には、ガイド部材６及び７に沿って移動可能に係合する係合部である、前記溝部８に係合する前係合部材１４及び前記溝部９に係合する後係合部材１５が前後に螺設されている。なお、前係合部材１４及び後係合部材１５はスチール等の金属により形成されている。また、係合手段１０は、同様の方法により袖引き出し４の右側に取着することもできる。係合手段１０を取着しない側の雌ねじ１３ａ，１３ａを利用して図１及び図２のようにハンガー１６を袖引き出し４に取着することができる。該ハンガー１６は、袖引き出し４を左右方向に移動させる場合の取っ手も兼ねている。
【００２０】
係合手段１０並びにガイド手段６及び７が、袖引き出し４の左右方向の移動を案内する、天板１下面と袖引き出し４の上面４ａ間に配設された上面ガイド手段を構成しており、係合手段１０の前面１０ｂは前ガイド部材６の後面６ａと対向するように、また、係合手段１０の後面１０ｃは後ガイド部材７の前面７ａと対向するように形成されている。また、係合手段１０は前ガイド部材６の後面６ａと後ガイド部材７の前面７ａ間の距離よりも若干小さい前後方向の長さを有し（例えば、係合手段１０の前後方向の長さは約２５０ｍｍ程度、係合手段１０と前後のガイド部材とのクリアランスは０．５ないし１ｍｍ程度。）、左右方向にも一定の幅を有している（例えば、係合手段１０の左右方向の幅は８０ないし１００ｍｍ程度。）。このように、係合手段１０の前面１０ｂと前ガイド部材６の後面６ａとの対向面積、及び、係合手段１０の後面１０ｃと後ガイド部材７の前面７ａとの対向面積を比較的大きく確保しているため、天板１と袖引き出し４との左右方向の相対移動時において、袖引き出し４に取着した係合手段１０は、前ガイド部材６の後面６ａ及び後ガイド部材７の前面７ａに案内され、袖引き出し４の鉛直軸まわりの回転又はこじれ等を生じずにスムーズな移動を行うことができる。
【００２１】
図４において、前ガイド部材６及び後ガイド部材７の左右には、支持手段１７，１７が配設されている。図２のように、袖引き出し４が配設されている天板１下面右側の支持手段１７の下面と袖引き出し４の上面４ａとは、直接又はフェルト等の緩衝部材を介して当接し、袖引き出し４が天板１及び背板２の荷重を支持している。また、図４において、係合手段１０の上面１０ａを天板１の下面と直接又はフェルト等の緩衝部材を介して当接するようにすれば、この当接面を介して、袖引き出し４に天板１及び背板２の荷重を支持させるように構成することもできる。
【００２２】
また、図４において、支持手段１７，１７に係合手段１０の左又は右の側面が当接するため、袖引き出し４の天板１の側端を越える側方への移動量を規制することにより、天板１と袖引き出し４とが外れるのを防止することができる。また、図４の左側の支持手段１７には脚固定用板１８が螺設されており、この脚固定用板１８には脚３が螺設されている（図２参照。）。左右の脚３及び袖引き出し４を入れ替えて使用する場合には、前記のように係合手段１０を袖引き出し４の右側に取着して、該袖引き出し４を天板１の左下に配設すると共に、右側の支持手段１７に脚固定用板１８を螺設して、該脚固定用板１８に脚３を螺設すればよい。このように使用する場合は、脚３は、図１におけるが天板１の右側の切り欠き部１ａに係合する。
【００２３】
図５において、背板２の下部には左右方向に延びた長孔１９が形成されており（図２（ａ）参照。）、袖引き出し４の後面下側には前記長孔１９に対応する位置に雌ねじ（例えば、袖引き出し４の後面下側に嵌設した鬼目ナット）２０ａが配設されている。したがって、背板２の後面側からボルト２０ｂを前記長孔１９に挿入して前記雌ねじ２０ａと螺合することにより、袖引き出し４を固定することができ、袖引き出し４の左右方向の移動後の位置を固定する固定手段を構成することができる。また、ボルト２０ｂを緩めて、ボルト２０ｂを雌ねじ２０ａから外さない状態で袖引き出し４の移動を行うことにより、袖引き出し４の左右方向の移動を案内することができるため、背板２下部に形成された左右方向に延びた長孔１９、袖引き出し４の後面下部に配設された雌ねじ２０ａ、及び、背板２の後面側から長孔１９を通して雌ねじ２０ａに螺合するボルト２０ｂは、袖引き出し４の左右方向の移動を案内する、背板２前面と袖引き出し４後面間に配設された後面ガイド手段としての機能も有するものである。
【００２４】
さらに、左右方向に延びた長孔１９は、袖引き出し４を内側に（図１〜３において、天板１に対して左側に）移動させた場合に、前ガイド部材６及び後ガイド部材７の右側に配設された支持手段１７から袖引き出し４が外れない位置（例えば、図２（ｂ）の位置）で、ボルト２０ｂが前記長孔１９の左端に当接することにように形成されている。また、左右方向に延びた長孔１９は、ボルト２０ｂが当接する右端の位置を調整することにより、袖引き出し４の右方向の移動量を規制することができる。したがって、ボルト２０ｂの長孔１９の左右端への当接によって袖引き出し４の左右方向の移動量を規制することにより、天板１と袖引き出し４とが外れるのを防止することができる。
【００２５】
上面ガイド手段を構成する前ガイド部材６、後ガイド部材７及び係合手段１０による天板１と袖引き出し４の案内、並びに、後面ガイド手段及び固定手段を構成する長孔１９、雌ねじ２０ａ及びボルト２０ｂによる背板２と袖引き出し４との案内又は固定により、机全体の剛性及び安定性を向上することができる。特に、前記上面ガイド手段と前記後面ガイド手段及び固定手段との距離が離れているため、より効果的に机全体の剛性及び安定性を向上することができる。また、袖引き出し４の後面ガイド手段及び固定手段としては、図５のように背板２の後面側からボルトを螺合する構成の他、袖引き出し４の左右側面下部に孔を明けたフランジ部を設け、机の正面側から前記フランジの孔にボルトを挿入して背板２に配設した雌ねじ（例えば、背板２に嵌設した鬼目ナット）と螺合することにより、袖引き出し４を案内又は固定することもできる。
【００２６】
図６は、本発明の実施の形態に係る机の構成例を示す部分断面側面図であり、図１の机と脚が異なる場合を示している。脚２１は図１の脚３と異なる形状であり、このように脚の形状を変える構成、脚と袖引き出し４とを入れ替える構成、脚の代わりに固定タイプの袖引き出しを使用する構成、及び、天板の左右両側共に左右方向に移動可能な袖引き出し４を用いる構成等を適宜採用することができる。
【００２７】
また、図６は、背板２の前面に天板１を螺設し、天板１の左側面に脚２１を螺設し、天板１の下面に前ガイド部材６及び後ガイド部材７を螺設した第１の部分組立構造物、及び、袖引き出し４に係合手段１０を螺設した第２の部分組立構造物を分離した状態（全体組立前の状態）を示している。このような状態で、係合手段１０の前係合部材１４及び後係合部材１５を天板１下面の溝部８及び９に係合させるために、図４における天板１の下面の前ガイド部材６及び後ガイド部材７に形成した切り欠き部６ｂ及び７ｂを利用する。すなわち、前記切り欠き部６ｂ及び７ｂから前係合部材１４及び後係合部材１５を挿入することにより、係合手段１０の前係合部材１４及び後係合部材１５を天板１下面の溝部８及び９に係合させることができ、机全体の組立を容易に行うことができる。
【００２８】
図７は、天板１の下面に配設した前ガイド部材及び後ガイド部材の断面形状の例を示す部分断面図である。図４〜図６の例では、係合手段１０の前後の係合部材１４及び１５を、天板１の下面と前ガイド部材６とにより形成された左右方向に延びた溝部８及び天板１の下面と後ガイド部材７とにより形成された左右方向に延びた溝部９に係合させる場合を示したが、このような係合部材１４及び１５を係合させるための左右方向に延びた溝部等を前ガイド部材及び後ガイド部材自体に形成することもできる。
【００２９】
図７（ａ）は、前ガイド部材２２自体に左右方向に延びた溝部２３を形成した場合を示しており、図示しない後ガイド部材も同様の形状に形成されている。このような前後のガイド部材の形状を採用した場合においても、前後の係合部材１４及び１５の高さを前後のガイド部材の左右方向に延びた溝部に合わせて係合手段１０に螺設することにより、図４〜図６の構成と同様の袖引き出しの左右方向の移動を案内する上面ガイド手段を構成することができる。
【００３０】
また、図７（ｂ）は、前ガイド部材２４自体に左右方向に延びた孔部２５を形成した場合を示しており、図示しない後ガイド部材も同様の形状に形成されている。このような前後のガイド部材の形状を採用した場合においても、前後の係合部材１４及び１５の高さを前後のガイド部材の左右方向に延びた孔部に合わせて係合手段１０に螺設することにより、図４〜図６の構成と同様の袖引き出しの左右方向の移動を案内する上面ガイド手段を構成することができる。
【００３１】
図８は、袖引き出し４を共有させて机を並設した例を示す正面図であり、係合手段１０，１０を袖引き出し４の左右両側に螺設して、袖引き出し４を左右の机で共用する構成を示している。本発明の机に係る袖引き出しの左右方向の移動を案内する上面ガイド手段及び後面ガイド手段によれば、このような連結机も容易に構成することができる。また、連結机全体の左右寸法を、設置場所の制約等に合わせて適切な寸法として設置することができる。さらに、天板１枚を並設する構成だけでなく、天板を３枚以上並設して天板間で袖引き出し４を共用することもできる。
【００３２】
【発明の効果】
この発明に係る机は、以上説明したように構成されているので、以下に示すような効果を奏する。
【００３３】
請求項１に係る発明によれば、天板と、この天板の後端に配設された背板と、前記天板下面の左右の少なくともどちらかに配設された、キャスター又はコロを下面に設け前記天板及び背板の荷重を受けてなる袖引き出しと、この袖引き出しの左右方向の移動を案内する、前記天板下面と前記袖引き出し上面間に配設された上面ガイド手段及び前記背板前面と前記袖引き出し後面間に配設された後面ガイド手段と、前記袖引き出しの左右方向の移動後の位置を固定する固定手段とを備え、前記袖引き出しを前記天板下面側方から前記天板の側端を越えて側方へ移動可能としたので、簡素な構成でありながら、袖引き出しの天板にも書類等を載置できるため机上スペースを広げることができると共に、設置スペース等に応じて机に対する袖引き出しの位置を左右方向の適宜位置に変更できる机を得ることができる。
【００３４】
請求項２に係る発明によれば、請求項１に係る発明の構成に加え、前記天板下面の左右の一方に前記袖引き出しを前記天板の他方に脚を配設すると共に、これら袖引き出し及び脚を入れ替え可能に構成したので、請求項１に係る発明の効果に加え、机の配設の自由度がさらに高くなる。
【００３５】
請求項３に係る発明によれば、請求項２に係る発明の構成に加え、前記天板の左右側面に前記脚が係合する切り欠き部を形成したので、請求項２に係る発明の効果に加え、前記脚の前記天板への位置決めが容易になると共に、机を左右に並設する場合等において脚が天板の側端部から出っ張らないため脚が邪魔にならない。
【００３６】
請求項４に係る発明によれば、請求項１〜３に係る発明の構成に加え、前記上面ガイド手段が、前記天板下面の左右方向に設けられたガイド部材と、該ガイド部材に沿って移動可能に係合する係合部を有すると共に前記袖引き出しに取着される係合手段とからなるので、請求項１〜３に係る発明の効果に加え、前記袖引き出しの側方へ移動時において、前記袖引き出しの鉛直軸まわりの回転又はこじれ等を生じずにスムーズな移動を行うことができる。
【００３７】
請求項５に係る発明によれば、請求項４に係る発明の構成に加え、前記天板下面のガイド部材の側方に支持手段を設け、この支持手段と直接又は緩衝部材を介して前記袖引き出し上面とが当接することにより、前記袖引き出しが前記天板及び背板の荷重を受けてなるので、請求項４に係る発明の効果に加え、簡素な構成により天板の支持が行えると共に前記袖引き出しの側方へ移動をよりスムーズに行うことができる。
【００３８】
請求項６に係る発明によれば、請求項５に係る発明の構成に加え、前記係合手段の前記支持手段への当接によって前記袖引き出しの前記天板の側端を越える側方への移動量を規制するので、請求項５に係る発明の効果に加え、前記天板と前記袖引き出しとが外れるのを容易に防止でき、机の安定性を高めることができる。
【００３９】
請求項７に係る発明によれば、請求項１〜６に係る発明の構成に加え、前記後面ガイド手段及び固定手段が、前記背板下部に形成された左右方向に延びた長孔、前記袖引き出しの後面下部に配設された雌ねじ、及び、前記背板の後面側から前記長孔を通して前記雌ねじに螺合するボルトとからなると共に、前記ボルトの前記長孔端への当接によって前記袖引き出しの左右方向の移動量を規制することにより、前記天板と前記袖引き出しとが外れるのを防止してなるので、請求項１〜６に係る発明の効果に加え、簡素な構成により机の剛性及び安定性をさらに高めることができる。
【図面の簡単な説明】
【図１】本発明の実施の形態に係る机の構成例を示す斜視図である。
【図２】本発明の実施の形態に係る机の構成例を示す正面図であり、（ａ）は膝入れ空間を広げると共に袖引き出しの天板も机上スペースとして活用するために袖引き出しを右側に移動させた場合、（ｂ）は設置スペースを小さくするために袖引き出しを左側に移動させ場合を示している。
【図３】本発明の実施の形態に係る机の構成例を示す左側面図である。
【図４】袖引き出しの左右方向の移動を案内する上面ガイド手段の説明用斜視図である。
【図５】袖引き出しの左右方向の移動を案内する上面ガイド手段及び後面ガイド手段の説明用部分断面側面図である。
【図６】本発明の実施の形態に係る机の構成例を示す部分断面側面図である。
【図７】天板の下面に配設した前ガイド部材及び後ガイド部材の断面形状の例を示す部分断面図であり、（ａ）はガイド部材自体に左右方向に延びた溝部を形成した場合を、（ｂ）はガイド部材自体に左右方向に延びた孔部を形成した場合を示している。
【図８】袖引き出しを共有させて机を並設した例を示す正面図である。
【符号の説明】
１  天板                            １ａ  切り欠き部
２  背板                            ２ａ  切り欠き部
３  脚                              ３ａ  レベリングボルト
４  袖引き出し                      ４ａ  袖引き出しの天板
４ｂ  引き出し                      ４ｃ  キャスター
５  棚                              ６  前ガイド部材
６ａ  前ガイド部材６の後面          ６ｂ  切り欠き部
７  後ガイド部材                    ７ａ  後ガイド部材７の前面
７ｂ  切り欠き部                    ８，９  溝部
１０  係合手段                      １０ａ  係合手段１０の上面
１０ｂ  係合手段１０の前面          １０ｃ  係合手段１０の後面
１１  当接部材                      １２  固定部材
１３ａ  雌ねじ                      １３ｂ  ボルト
１４  前係合部材                    １５  後係合部材
１６  ハンガー                      １７  支持手段
１８  脚固定用板                    １９  長孔
２０ａ  雌ねじ                      ２０ｂ  ボルト
２１  脚                            ２２，２４  前ガイド部材
２３  左右方向に延びた溝部          ２５  左右方向に延びた孔部
Ｓ  膝入れ空間
【図１】
2005013522.tif 000003
【図２】
2005013522.tif 000004
【図３】
2005013522.tif 000005
【図４】
2005013522.tif 000006
【図５】
2005013522.tif 000007
【図６】
2005013522.tif 000008
【図７】
2005013522.tif 000009
【図８】
2005013522.tif 000010